(57)【要約】【課題】  本発明の課題は、処理装置に負担を与えずに、画像データのオーバレイ表示を行うことができる情報処理装置を提供することである。【解決手段】  表示装置が接続されている情報処理装置において、処理装置は、該表示装置に表示するための第一の画像データを該表示装置に送り、該表示装置で該第一の画像データの上に重ねて表示する第二の画像データを選択する信号を該表示装置に送信する。表示装置は該信号を受信すると該表示装置に格納されている画像データをオーバレイ表示する。そのため、処理装置に負担を与えずに画像データのオーバレイ表示を行うことができる。【選択図】図３
2008176661.tif 000002
【特許請求の範囲】
【請求項１】
表示装置が接続されている情報処理装置において、
該表示装置に表示するための第一の画像データを該表示装置に送り、該表示装置で該第一の画像データの上に重ねて表示する第二の画像データを選択する信号を該表示装置に送信する処理装置を有することを特徴とする情報処理装置。
【請求項２】
該情報処理装置は、該第一の画像データを格納するための格納領域を有し、
該処理装置は該第一の画像データを該格納領域に格納し、該表示装置に表示することを特徴とする請求項１記載の情報処理装置。
【請求項３】
該情報処理装置は、さらに記憶領域を有し、
該記憶領域上のデータの保存が開始されると、該処理装置は該信号を該表示装置に送信し、
該表示装置は、該信号に基づいて該表示装置に格納されているデータ保存中であることを表す画像データを該第一の画像データの上に重ねて表示することを特徴とする請求項１または２に記載の情報処理装置。
【請求項４】
情報処理装置に接続されている表示装置において、
該表示装置に表示するためのデータを該情報処理装置から受け、該第一の画像データの上に重ねて表示する第二の画像データを選択する信号を該情報処理装置から受信し、該信号に基づいて該表示装置に格納されている第二の画像データを該第一の画像データの上に重ねて表示することを特徴とする表示装置。
【請求項５】
表示装置が接続されている情報処理装置を制御する制御方法において、
該表示装置に表示するための第一の画像データを該表示装置に送信し、
該表示装置で該第一の画像データの上に重ねて表示する第二の画像データを選択する信号を該表示装置に送信することを特徴とする制御方法。
【請求項６】
該表示装置は、該信号に基づいて該表示装置に格納されている第二の画像データを該第一の画像データの上に重ねて表示することを特徴とする請求項５記載の制御方法。
【請求項７】
表示装置が接続されている情報処理装置を制御する制御プログラムにおいて、
該表示装置に表示するための第一の画像データを該表示装置に送信する第一の送信ステップと、
該表示装置で該第一の画像データの上に重ねて表示する第二の画像データを選択する信号を該表示装置に送信する第二の送信ステップと、
を情報処理装置に実行させることを特徴とする制御プログラム。
【請求項８】
該表示装置は、該信号に基づいて該表示装置に格納されている該第二の画像データを該第一の画像データの上に重ねて表示する表示ステップを有することを特徴とする請求項７記載の制御プログラム。
【発明の詳細な説明】
【技術分野】
【０００１】
本発明は、画像データのオーバレイ表示に関する発明である。
【背景技術】
【０００２】
情報処理装置において、画像データを表示装置に表示するためには一般に以下の方法が採られる。まず、処理装置がメインメモリに展開されているデータから、画像データとして表示するデータを集める。次に、処理装置が当該画像データをビデオメモリに書き込む。そして、ビデオメモリに書き込まれたデータを表示装置に送ることで、表示装置は画像データを表示する。このように、表示装置に表示される画像データはビデオメモリを経由している。
【０００３】
ここで、例えば、ユーザに警告を与えるために、表示されている画像データの上にさらに画像データを重ねるオーバレイ表示を行う場合も、重ねて表示される画像データは、処理装置がビデオメモリに書き込んでいる。
【０００４】
しかし、上述した方法を採ると、重ねて表示される画像データについても、処理装置はメインメモリに展開されているデータから、表示すべき画像データを構成する画像ファイルを集めたり、画像ファイルを表示する位置に関する情報を取得したりしてから、ビデオメモリに書き込まなければならない。即ち、表示装置に表示する画像データは必ずビデオメモリを経由しなければならなかった。
【０００５】
アプリケーションの表示の際に警告を発する技術としては下記のものがある。
【特許文献１】特開平０６‐１９８０７号公報
【発明の開示】
【発明が解決しようとする課題】
【０００６】
本発明の課題は、効率的に画像データのオーバレイ表示を行うことができる情報処理装置を提供することである。
【課題を解決するための手段】
【０００７】
本発明は、上述した課題を解決するために、以下の手段を採用する。
【０００８】
第１の手段として：
情報処理装置は、表示装置に接続され、該表示装置に表示するための第一の画像データを該表示装置に送り、該表示装置で該第一の画像データの上に重ねて表示する第二の画像データを選択する信号を該表示装置に送信する処理装置を有する。
【０００９】
第２の手段として：
情報処理装置は、該第一の画像データを格納するための格納領域を有し、該処理装置は該第一の画像データを該格納領域に格納し、該表示装置に表示する。
【００１０】
第３の手段として：
情報処理装置は、さらに記憶領域を有し、該記憶領域上のデータの保存が開始されると、該処理装置は該信号を該表示装置に送信し、該表示装置は、該信号に基づいて該表示装置に格納されているデータ保存中であることを表す画像データを該第一の画像データの上に重ねて表示する。
【００１１】
第４の手段として：
表示装置は、情報処理装置に接続され、該表示装置に表示するためのデータを該情報処理装置から受け、該第一の画像データの上に重ねて表示する第二の画像データを選択する信号を該情報処理装置から受信し、該信号に基づいて該表示装置に格納されている第二の画像データを該第一の画像データの上に重ねて表示する。
【００１２】
第５の手段として：
情報処理装置の制御方法は、表示装置が接続されている情報処理装置を制御する制御方法であって、該表示装置に表示するための第一の画像データを該表示装置に送信し、該表示装置が該第一の画像データの上に重ねて表示する第二の画像データを選択する信号を該表示装置に送信する工程を有する。
【００１３】
第６の手段として：
情報処理装置の制御方法は、該信号に基づいて該表示装置に格納されている第二の画像データを該第一の画像データの上に重ねて表示する工程を有する。
【００１４】
第７の手段として：
情報処理装置の制御プログラムは、表示装置が接続されている情報処理装置を制御する制御プログラムであって、該表示装置に表示するための第一の画像データを該表示装置に送信する第一の送信ステップと、該表示装置が該第一の画像データの上に重ねて表示する第二の画像データを選択する信号を該表示装置に送信する第二の送信ステップとを情報処理装置に実行させる。
【００１５】
第８の手段として：
情報処理装置の制御プログラムは、該表示装置は、該信号に基づいて該表示装置に格納されている該第二の画像データを該第一の画像データの上に重ねて表示する表示ステップを有する。
【発明の効果】
【００１６】
本発明によれば、表示装置が該表示装置に格納されている画像データをオーバレイ表示する。そのため、ビデオメモリに画像データを書き込むという工程を省略することができ、効率的に画像データのオーバレイ表示を行うことができるという効果を有する。
【発明を実施するための最良の形態】
【００１７】
以下に図面を用いて本発明の実施の形態について説明する。
【００１８】
（実施例１）
（情報処理装置と表示装置の概観図）
図１は、情報処理装置と表示装置の概観図である。情報処理装置１００は、ＣＰＵやメモリ等が内蔵された情報処理装置本体１０２及び情報処理装置に命令を与えるキーボード１０８、マウス１０９から構成される。情報処理装置本体１０２は、ユーザ操作により情報処理装置１００に命令を与えるキーボード１０８、ＬＣＤパネル１０４上にカーソルを移動させ、そのカーソルが重ねられたアイコン等に応じた命令を与えるマウス１０９、情報処理装置１００への電源投入のための電源ボタン１１０、ＵＳＢ（Ｕｎｉｖｅｒｓａｌ  Ｓｅｒｉａｌ  Ｂｕｓ）規格に準拠したＵＳＢコネクタ１１２、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｋ）が装填されるＣＤ／ＤＶＤ装填口１１４を有している。表示装置１０６は、情報処理装置本体１０２からの命令により画像を表示する。
【００１９】
（ハードウェア構成図）
図２は、図１に示した情報処理装置１００と表示装置１０６のハードウェア構成の一例を簡略的に示すブロック図である。なお、図１において説明したブロックについては同一番号を付してある。情報処理装置１００は、システムコントローラ２０２、ＣＰＵ２０４、主記憶装置２０６、ビデオカード１０５、ＨＤＤ（Ｈａｒｄ  Ｄｉｓｋ  Ｄｒｉｖｅ）２１０、不揮発性メモリ２１２、Ｉ／Ｏデバイス２１４、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）２１６、電源監視部２１８、バス２２０を有している。そして、バス２２０を介してシステムコントローラ２０２に各ブロックが接続されている。そして、ビデオカード１０５に表示装置１０６が接続されている。以下、各ブロックについて説明する。
【００２０】
システムコントローラ２０２は、データの入出力管理等、システム全体の制御を行う。ＣＰＵ２０４は、主記憶装置２０６に展開されるＯＳ等の各種プログラムの実行を行う。主記憶装置２０６は、ＨＤＤ２１０から読み出されたプログラムの実行のための作業エリアとして使用される。本実施例においては、主記憶装置２０６にＯＳ、アプリケーション、ドライバ等が展開される。主記憶装置２０６の詳細については図３を用いて後述する。表示装置１０６は、ＣＰＵ２０４がビデオカード１０５を介して出した命令に基づいた画像表示を行う。表示装置１０６の詳細については図３を用いて後述する。ＨＤＤ２１０は、ＯＳやアプリケーションプログラムを格納している。これらプログラムは、システムコントローラ２０２によって読み出されて主記憶装置２０６に展開される。不揮発性メモリ２１２は、情報処理装置に電源が投入された後、最初に実行されるＢＩＯＳプログラムを格納している。Ｉ／Ｏデバイス２１４は、キーボード１０８、マウス１０９等からの入力をシステムコントローラ２０２に伝える。ＣＭＯＳ２１６は、ＢＩＯＳメニューの設定を記憶している。電源監視部２１８は、電源ボタン１１０が操作されたか否かを監視している。
【００２１】
（オーバレイ表示処理の機能ブロック図）
図３は、オーバレイ表示処理の一例を簡略的に示す機能ブロック図である。オーバレイ表示機能は、主記憶装置２０６、ビデオカード２０８及び表示装置１０６から構成される。以下、各ブロックについて説明する。
【００２２】
[主記憶装置]
主記憶装置２０６には、ＯＳ２２２が展開される。ＯＳ２２２上には、制御アプリケーション２２４、ドライバ２２６が展開される。制御アプリケーション２２４は、ドライバ２２６を介して表示装置１０６へ、表示装置１０６に格納されている画像データをオーバレイ表示させるための信号を送信する。
【００２３】
[表示装置]
表示装置１０６は、ディスプレイマイコン２３６、スケーラＬＳＩ２３８、ＬＣＤパネル１０４を有し、情報処理装置が有するビデオカード２０８に接続される。さらに、ビデオカード２０８は、チップ２３２及びＶＲＡＭ（Ｖｉｄｅｏ  ｒａｎｄｏｍ  Ａｃｃｅｓｓ  Ｍｅｍｏｒｙ）２３４を有する。ディスプレイマイコン２３６は、画面の輝度、色度及びコントラスト等の調整をＬＣＤパネル１０４上で行える機能を提供する。スケーラＬＳＩ２３８は、ビデオのフォーマットと解像度を変換する。ビデオカード２０８は、画像描画のためのチップ２３２、画面イメージを保持するためのＶＲＡＭ（Ｖｉｄｅｏ  ｒａｎｄｏｍ  Ａｃｃｅｓｓ  Ｍｅｍｏｒｙ）２３４を有する。チップ２３２はＣＰＵ２０４からイメージデータを受け取って、画面イメージを保持しているＶＲＡＭ２３４に、該イメージデータを書き込む。主記憶装置２０６上に展開されているデータのうち、表示装置１０６に表示するためのイメージデータはＶＲＡＭ２３４に書き込まれる。ＣＰＵ２０４はＶＲＡＭ２３４に書き込まれたイメージデータを表示装置に送信することで、表示装置１０６はイメージデータを表示する。また、チップ２３２は、制御アプリケーション２２４からドライバ２２６を介して送信されてくる画像データをオーバレイ表示するための信号をディスプレイマイコン２３６に伝える。格納部２４０には、オーバレイ表示するための画像データが格納されている。ディスプレイマイコン２３６は、チップ２３２からオーバレイ表示するための信号を受信すると、格納部２４０から表示すべき画像データを選択して表示する。
【００２４】
（情報処理装置の処理のフロー）
以下に図４を用いて、ＣＰＵ２０４が主記憶装置２０６上に展開されているデータのうちイメージデータを表示装置に表示するとともに、表示装置１０６に画像データをオーバレイ表示させるための信号を送信する処理について説明する。
【００２５】
ステップＳ００１において、ＣＰＵ２０４は、主記憶装置２０６に展開されているデータから表示すべき画像データを構成する画像ファイルや当該画像ファイルを表示する位置に関する情報等を取得し、イメージデータを生成する。処理はステップＳ００２へ移行する。
【００２６】
ステップＳ００２において、ＣＰＵ２０４は生成したイメージデータをチップ２３２にＶＲＡＭ２３４へ書き込ませる。処理はステップＳ００３へ移行する。
【００２７】
ステップＳ００３において、ＣＰＵ２０４はＶＲＡＭ２３４に書き込まれたイメージデータを表示装置に送信する。処理はステップＳ００４へ移行する。
【００２８】
ステップＳ００４において、ＣＰＵ２０４は、制御アプリケーション２２４に表示装置１０６へオーバレイ表示する画像を選択するための信号を送信させる。処理は終了する。
【００２９】
（表示装置の処理のフロー）
以下に図５を用いて、表示装置１０６が情報処理装置から送信されてきたイメージデータを表示し、さらに当該イメージデータの上に画像データを重ねて表示する処理について説明する。
【００３０】
ステップＳ１０１において、表示装置１０６は、情報処理装置から送信されてきたイメージデータを受信する。処理はステップＳ１０２へ移行する。
【００３１】
ステップＳ１０２において、表示装置１０６は、イメージデータをＬＣＤパネル１０４に表示する。処理はステップＳ１０３へ移行する。
【００３２】
ステップＳ１０３において、ディスプレイマイコン２３６は、ドライバ２２６を通じて制御アプリケーション２３４からオーバレイ表示する画像データを選択するための信号が送信されてきたか否かを判定する。信号が送信されてきた場合は、処理はステップＳ１０４へ移行する。
【００３３】
ステップＳ１０４において、ディスプレイマイコン２３６は、信号に基づいて格納部２４０からオーバレイ表示する画像データを取得する。処理はステップＳ１０５へ移行する。
【００３４】
ステップＳ１０５において、ディスプレイマイコン２３６は、取得した画像データをスケーラＬＳＩ２３８を通じてＬＣＤパネルに表示する。なお、当該画像データはステップＳ１０２において表示されているイメージデータに重ねて表示される。図６に、イメージデータの上に画像データをオーバレイ表示する例について示す。図６には、例えばアプリケーションのイメージデータの上に処理中であることを表す画像データを重ねて表示している。このように、表示装置は情報処理装置から信号を受信すると、表示装置に格納されている画像データをオーバレイ表示する。そのため、効率的に画像データのオーバレイ表示を行うことができる。
【００３５】
（実施例２）
実施例２においては、実施例１で説明したオーバレイ表示に関する技術をハイバネーションにおいて使用する例について説明する。ここでは、ＩＭＭ（Ｉｎｓｔａｎｔ  Ｍｙ  Ｍｅｄｉａ）を情報処理装置にインストールし、さらに、該情報処理装置でＩＭＭを使用可能にするために実行すべき処理について説明する。ＩＭＭとは、情報処理装置においてＴＶやＣＤ、ＤＶＤ等の視聴のための機能を提供するアプリケーションである。図１３に示すように、ＩＭＭ２３０は主にタスクバー２３０ａとスイッチボタン２３０ｂから構成される。タスクバー２１０ａには、ＩＭＭの名称が表示されている。各スイッチボタンには、テレビ、ＤＶＤ／ＣＤ、ミュージック等が表示されている。ユーザは、使用したい機能に対応したスイッチボタン２３０ｂを操作することで、情報処理装置において、ＤＶＤ機能等を使用することができる。なお、このようなアプリケーションは、情報処理装置上で実行するまでに時間がかかる。そのため、実行するまでにかかる時間を短縮して高速起動を実現するためにハイバネーション技術が用いられている。ハイバネーションとは、電源を切る直前のメモリ上のデータをハードディスクにコピーし、立ち上げ時にはハードディスクから該データを読み出して、電源を切る直前の状態に戻す技術である。
【００３６】
（データ保存処理の機能ブロック図）
図７は、主記憶装置２０６上に展開されているデータをＨＤＤ２１０に保存する処理の一例を簡略的に示す機能ブロック図である。データ保存機能は、主記憶装置２０６、ＨＤＤ２１０、表示装置１０６から構成される。以下、各ブロックについて説明する。
【００３７】
[主記憶装置]
主記憶装置２０６には、ＯＳ２２２が展開される。ＯＳ２２２上には、図３を用いて説明した他に、ハイバネーションツール２２８、ＩＭＭ２３０が展開される。制御アプリケーション２２４は、図３において説明した機能の他に、ハイバネーションツール２２８に対してデータ保存処理開始の命令や、ハイバネーションツール２２８のデータ保存処理の進捗率の監視を行う。ハイバネーションツール２２８は、制御アプリケーション２２４からの命令を受け、メモリ上に展開されているデータをＨＤＤ２１０に保存する。
【００３８】
（データ保存処理のフロー）
以下に図８を用いて、主記憶装置２０６上に展開されているデータをＨＤＤ２１０に保存する処理について説明する。
【００３９】
ステップＳ２０１において、ＣＰＵ２０４は、主記憶装置２０６に展開されているデータから表示すべき画像データを構成する画像ファイルや当該画像ファイルを表示する位置に関する情報等を取得し、イメージデータを生成する。処理はステップＳ２０２へ移行する。
【００４０】
ステップＳ２０２において、ＣＰＵ２０４は生成したイメージデータをチップ２３２にＶＲＡＭ２３４へ書き込ませる。処理はステップＳ２０３へ移行する。
【００４１】
ステップＳ２０３において、ＣＰＵ２０４はＶＲＡＭ２３４に書き込まれたイメージデータを表示装置１０６に送信する。処理はステップＳ２０４へ移行する。
【００４２】
ステップＳ２０４において、制御アプリケーション２２４は、ハイバネーションツール２２８に主記憶装置２０６上のデータの保存を行うよう命令する。処理はステップＳ２０５へ移行する。
【００４３】
ステップＳ２０５において、ハイバネーションツール２２８は、主記憶装置２０６上のデータをＨＤＤ２１０に保存する処理を開始する。ここで、ハイバネーションツール２２８は、ＩＭＭ２３０のデータのうち、情報処理装置の表示画面に表示されるイメージデータについては、１つにまとめてＨＤＤ２１０に保存する。イメージデータを１つにまとめてＨＤＤに保存しておくことで、ＩＭＭを次回起動する時に高速に起動することができる。なぜなら、ＩＭＭを起動する際に、イメージデータの表示を該イメージデータが予め１つにまとめられたものを主記憶装置上に展開することで行えるからである。処理はステップＳ２０６へ移行する。
【００４４】
ステップＳ２０６において、制御アプリケーション２２４は表示装置１０６へデータ保存中であることを表す画像データを選択するための信号を送信する。処理はステップＳ２０７へ移行する。
【００４５】
ステップＳ２０７において、制御アプリケーション２２４は、ハイバネーションツール２２８がデータ保存を完了したか否かを判定する。ハイバネーションツール２２８がデータ保存を完了した場合は、処理はステップＳ２０８へ移行する。
【００４６】
ステップＳ２０８において、制御アプリケーション２２４は、表示装置１０６へ画像データのオーバレイ表示を終了させるための信号を送信する。処理は終了する。
【００４７】
これによれば、ハイバネーションツール２２８が、主記憶装置２０６上のデータの保存を開始するにあたり、表示装置１０６のＬＣＤパネル１０４には、データ保存中であることを表す画像データがオーバレイ表示される。そのため、メモリに展開されているデータを保存する処理に時間がかかっても、ユーザによって情報処理装置がフリーズしているとみなし、強制終了されてしまうことを防ぐことがでる。また、オーバレイ表示される画像データは、メモリ上に展開されてからＬＣＤパネル表示されるのではなく、表示装置が有するディスプレイマイコンが格納部から画像データを選択して、ＬＣＤパネルに表示する。そのため、メモリ上のデータの保存の際に、データ保存中であることを示す画像データを表示しても、当該画像データがＨＤＤ２１０に保存されることはない。
【００４８】
（起動処理のフロー）
以下に図９を用いて、本発明を用いてハイバネーション処理を行った後に、ＩＭＭ２３０を起動する処理について説明する。
【００４９】
ステップＳ３０１において、電源監視部２１８は、ユーザによって電源ボタン１１０が操作されたか否かを判定する。電源ボタン１１０の操作があった場合は、処理はステップＳ３０２へ移行する。
【００５０】
ステップＳ３０２において、ＣＰＵ２０４は、電源ボタン１１０の操作があると、不揮発性メモリ２１８に格納されているＢＩＯＳプログラムを起動する。ＢＩＯＳプログラムは、ＣＰＵ２０４によって起動されると、システムコントローラ２０２を初期化する。そして、BIOSプログラムは主記憶装置２０６に展開される。処理はステップＳ３０３へ移行する。
【００５１】
ステップＳ３０３において、ＢＩＯＳプログラムは、ハードウェアのテストと初期化が完了するとＯＳを起動する。処理はステップＳ３０４へ移行する。
【００５２】
ステップＳ３０４において、ＯＳは、ＩＭＭ２３０を起動する。起動はＨＤＤ２１０からハイバネーションツール２２８が保存したデータをＯＳ上に展開することで行われる。図１０に、ＩＭＭ２３０を起動した状態を示す。処理は終了する。
【００５３】
これによれば、ＩＭＭ２３０を起動した際に、不要な画像データがＬＣＤパネル１０４に表示されることはない。
【００５４】
以上の実施の形態は、本発明をより良く理解させるために具体的に説明したものであって、別形態を制限するものではない。従って、発明の趣旨を変更しない範囲で変更可能である。例えば、図５においては処理中を表す画像データをオーバレイ表示したが、図１２に示すように、データ保存処理の進捗率をオーバレイ表示するような構成にすることも考えられる。
【００５５】
さらに、図９を用いて、本発明をＩＭＭのインストールに適用した詳細例を説明する。なお、ここに挙げたＯＳは一例であり、これらに限定されるものではない。ＩＭＭを情報処理装置において使用するためには、まずインストールＣＤを用いてＩＭＭを情報処理装置にインストールすることが必要になる。ここでは、ＩＭＭをＷｉｎｄｏｗｓ  ＸＰ  Ｈｏｍｅ（登録商標）上ではなく、Ｗｉｎｄｏｗｓ  ＸＰ  Ｅｍｂｅdｄｅｄ（登録商標）上で使用できるようにするためインストール画面では、Ｅｍｂｅｄｅｄ（登録商標）を選択する（図９（ａ））。Ｗｉｎｄｏｗｓ  ＸＰ  Ｅｍｂｅdｄｅｄ（登録商標）上で使用できるようにしている理由は、Ｗｉｎｄｏｗｓ  ＸＰ  Ｅｍｂｅdｄｅｄ（登録商標）の方がＷｉｎｄｏｗｓ  ＸＰ  Ｈｏｍｅ（登録商標）よりも起動が早いため、ＩＭＭの起動も早くすることができるからである。そして、ＩＭＭのインストールが始まる（図９（ｂ））。インストールが完了すると表示画面は図９（ｃ）に示したようになる。続いて、ＩＭＭを情報処理装置において高速起動させるための処理を行う。まずは、Ｗｉｎｄｏｗｓ  ＸＰ  Ｅｍｂｅdｄｅｄ（登録商標）を起動する（図９（ｄ））。次にインストールしたＩＭＭを起動して画面に表示する（図９（ｅ））。ここでは、ＣＰＵはイメージデータをＶＲＡＭに書き込んでから表示装置に送信している。そして、図９（ｆ）において、メモリ上のデータの保存を開始し、ハイバネーションを行う。ハイバネーションを行うにあたり、ＣＰＵは表示装置に、データ保存中であることを表す画像データを表示するための信号を送信する。ハイバネーションにおいては、メモリに展開されているＩＭＭのデータのうち、画面に表示されるデータであるイメージデータが１つにまとめられてＨＤＤに保存される。図９（ｆ）の処理は時間がかかるため、本発明では、表示装置がデータ保存中であることを表示するための信号を受信すると、保存中であることを表す画像データを画面にオーバレイ表示する。オーバレイ表示される画像データは、上述したように、表示装置自体が有するディスプレイマイコンによって表示装置に表示される。そのため、メモリ上のデータの保存の際に、データ保存中であることを示す画像データを表示しても、当該画像データが保存されることはない。ゆえに、ＩＭＭの次回起動時には不要な画像データが表示されない。
【００５６】
次に、以上に述べた実施形態から生成される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
（付記１）
表示装置が接続されている情報処理装置において、
該表示装置に表示するための第一の画像データを該表示装置に送り、該表示装置で該第一の画像データの上に重ねて表示する第二の画像データを選択する信号を該表示装置に送信する処理装置を有することを特徴とする情報処理装置。
（付記２）
該情報処理装置は、該第一の画像データを格納するための格納領域を有し、
該処理装置は該第一の画像データを該格納領域に格納し、該表示装置に表示することを特徴とする付記１記載の情報処理装置。
（付記３）
該表示装置は、該信号に基づいて該表示装置に格納されている第二の画像データを該第一の画像データの上に重ねて表示することを特徴とする付記１または２に記載の情報処理装置。
（付記４）
該情報処理装置は、さらに記憶領域を有し、
該記憶領域上のデータの保存が開始されると、該処理装置は該信号を該表示装置に送信し、
該表示装置は、該信号に基づいて該表示装置に格納されているデータ保存中であることを表す第二の画像データを該第一の画像データの上に重ねて表示することを特徴とする付記１〜３のいずれか１項に記載の情報処理装置。
（付記５）
該表示装置は、該信号に基づいて該表示装置に格納されているデータ保存の進捗率を表す第二の画像データを該第一の画像データの上に重ねて表示することを特徴とする付記４記載の情報処理装置。
（付記６）
該表示装置は、該データの保存が完了すると、該第二の画像データの表示を終了することを特徴とする付記４または５に記載の情報処理装置。
（付記７）
表示装置が接続されている情報処理装置を制御する制御方法において、
該表示装置に表示するための第一の画像データを該表示装置に送り、該表示装置で該第一の画像データの上に重ねて表示する第二の画像データを選択する信号を該表示装置に送信する処理装置を有することを特徴とする制御方法。
（付記８）
該情報処理装置は、該第一の画像データを格納するための格納領域を有し、
該処理装置は該第一の画像データを該格納領域に格納し、該表示装置に表示することを特徴とする付記７記載の制御方法。
（付記９）
該表示装置は、該信号に基づいて該表示装置に格納されている第二の画像データを該第一の画像データの上に重ねて表示することを特徴とする付記７または８に記載の制御方法。
（付記１０）
該情報処理装置は、さらに記憶領域を有し、
該記憶領域上のデータの保存が開始されると、該処理装置は該信号を該表示装置に送信し、
該表示装置は、該信号に基づいて該表示装置に格納されているデータ保存中であることを表す第二の画像データを該第一の画像データの上に重ねて表示することを特徴とする付記７〜９のいずれか１項に記載の制御方法。
（付記１１）
該表示装置は、該信号に基づいて該表示装置に格納されているデータ保存の進捗率を表す第二の画像データを該第一の画像データの上に重ねて表示することを特徴とする付記１０記載の制御方法。
（付記１２）
該表示装置は、該データの保存が完了すると、該第二の画像データの表示を終了することを特徴とする付記１０または１１に記載の制御方法。
（付記１３）
表示装置が接続されている情報処理装置を制御する制御プログラムにおいて、
該表示装置に表示するための第一の画像データを該表示装置に送信する第一の送信ステップと、
該表示装置で該第一の画像データの上に重ねて表示する第二の画像データを選択する信号を該表示装置に送信する第二の送信ステップと、
を情報処理装置に実行させることを特徴とする制御プログラム。
（付記１４）
該情報処理装置は、該第一の画像データを格納するための格納領域を有し、
該処理装置は該第一の画像データを該格納領域に格納し、該表示装置に表示する表示ステップを有することを特徴とする付記１３記載の制御プログラム。
（付記１５）
該表示装置は、該信号に基づいて該表示装置に格納されている第二の画像データを該第一の画像データの上に重ねて表示する表示ステップを有することを特徴とする付記１３または１４に記載の制御プログラム。
（付記１６）
該情報処理装置は、さらに記憶領域を有し、
該記憶領域上のデータの保存が開始されると、該処理装置は該信号を該表示装置に送信するステップと、
該表示装置は、該信号に基づいて該表示装置に格納されているデータ保存中であることを表す第二の画像データを該第一の画像データの上に重ねて表示するステップを有することを特徴とする付記１３〜１５のいずれか１項に記載の制御プログラム。
（付記１７）
該表示装置は、該信号に基づいて該表示装置に格納されているデータ保存の進捗率を表す第二の画像データを該第一の画像データの上に重ねて表示するステップを有することを特徴とする付記１６記載の制御プログラム。
（付記１８）
該表示装置は、該データの保存が完了すると、該第二の画像データの表示を終了するステップを有することを特徴とする付記１６または１７に記載の制御プログラム。
【図面の簡単な説明】
【００５７】
【図１】情報処理装置と表示装置の概観図である。
【図２】情報処理装置と表示装置のハードウェア全体構成を示した図である。
【図３】オーバレイ表示処理の機能ブロック図である。
【図４】オーバレイ表示処理における情報処理装置の処理を表すフローチャートである。
【図５】オーバレイ表示処理における表示装置の処理を表すフローチャートである。
【図６】データ保存処理中の状態を表す図（その１）である。
【図７】データ保存処理の機能ブロック図である。
【図８】データ保存処理における情報処理装置の処理を表すフローチャートである。
【図９】起動処理のフローチャートである。
【図１０】ＩＭＭの起動後を表す図である。
【図１１】データ保存処理中の状態を表す図（その２）である。
【図１２】本発明を適用した例を表す図である。
【図１３】ＩＭＭを説明する図である。
【符号の説明】
【００５８】
１００  情報処理装置
１０２  情報処理装置本体
１０４  ＬＣＤパネル
１０５  ビデオカード
１０６  表示装置
１１０  電源ボタン
１１２  ＵＳＢコネクタ
１１４  ＣＤ／ＤＶＤ装填口
２０２  システムコントローラ
２０４  ＣＰＵ
２０６  主記憶装置
２０８  ビデオカード
２１０  ＨＤＤ
２１２  不揮発性メモリ
２１４  Ｉ／Ｏデバイス
２１６  ＣＭＯＳ
２１８  電源監視部
２２０  バス
２２２  ＯＳ
２２４  アプリケーション
２２６  ドライバ
２２８  ツール
２３０  ＩＭＭ
２３２  チップ
２３４  ＶＲＡＭ
２３６  ディスプレイマイコン
２３８  スケーラＬＳＩ
２４０  格納部
【図１】
2008176661.tif 000003
【図２】
2008176661.tif 000004
【図３】
2008176661.tif 000005
【図４】
2008176661.tif 000006
【図５】
2008176661.tif 000007
【図６】
2008176661.tif 000008
【図７】
2008176661.tif 000009
【図８】
2008176661.tif 000010
【図９】
2008176661.tif 000011
【図１０】
2008176661.tif 000012
【図１１】
2008176661.tif 000013
【図１２】
2008176661.tif 000014
【図１３】
2008176661.tif 000015